(57)【特許請求の範囲】
【請求項１】
四角形状に形成された板材と、この板材の表裏両面の少なくとも周縁部に取り付けられ、縦横の框材を四角枠状に組み立てた枠体と、この枠体の内部に配置される縦棧材とを有する壁パネルが複数接合されてなる大型壁パネルを、幅方向に隣接させて設置してなる大型壁パネルの設置構造において、
前記大型壁パネルの一端側に位置する壁パネルの板材の表面側に取り付けられた枠体の一方の縦框材は、前記板材の裏面側に取り付けられた枠体の一方の縦框材よりも幅広に形成されるとともに前記板材の周縁部よりも横方向外側に突出しており、
前記大型壁パネルの他端側に位置する壁パネルの板材の表面側に取り付けられた枠体の他方の縦框材は、前記板材の周縁部よりも横方向内側に引っ込んでおり、
前記大型壁パネルの一端側に位置する壁パネルおよび他端側に位置する壁パネルのうち、いずれか一方の壁パネルは幅狭に形成されるとともに、前記大型壁パネルの両側端部のうち、少なくとも一方の側端部に、隣接する大型壁パネル同士を互いに離間させるようにして、これら大型壁パネル同士の間隔を調整する間隔調整手段が設けられており、
前記複数の壁パネルの各板材の表面側の枠体表面には、前記一方の縦框材および縦棧材間、前記他方の縦框材および縦棧材間に架設可能な幅寸法を有する外装材が予め取り付けられており、
これら外装材のうち、前記大型壁パネルの一端側に位置する外装材は、前記幅広の縦框材の横方向外側に突出する部分以外に取り付けられ、さらに、該外装材の幅方向一端は、下サネが設けられずに、隣接する大型壁パネルとの目地に面して平らに形成されており、
前記隣接する一方の大型壁パネルの他端側に位置する壁パネルの板材の裏面側に取り付けられた枠体の他方の縦框材から、他方の大型壁パネルの一端側に位置する壁パネルの板材の表面側に取り付けられた枠体の前記幅広の縦框材の横方向外側に突出する部分に向かって、止着材がねじ込まれることによって、前記隣接する大型壁パネル同士が互いに引き寄せられるようにして連結されていることを特徴とする大型壁パネルの設置構造。
【請求項２】
請求項１に記載の大型壁パネルの設置構造において、
前記隣接する大型壁パネル同士の対向する側端部に位置する縦框材同士の表面に、これら縦框材同士を接続する接続プレートが架設固定されていることを特徴とする大型壁パネルの設置構造。
【請求項３】
請求項１または２に記載の大型壁パネルの設置構造において、
前記複数の壁パネルの各板材の裏面側の枠体表面に、隣接する大型壁パネル同士の対向する側端部に位置する縦框材の周囲を露出させた状態で石膏ボードが予め取り付けられており、
前記露出する縦框材同士の周囲には、この露出する縦框材同士の周囲を覆うための補助石膏ボードが取り付けられていることを特徴とする大型壁パネルの設置構造。
【請求項４】
請求項３に記載の大型壁パネルの設置構造において、
前記補助石膏ボードは、隣接する大型壁パネル間に架設されていることを特徴とする大型壁パネルの設置構造。
【発明の詳細な説明】
【技術分野】
【０００１】
本発明は、住宅等の建物の構築に用いられる大型壁パネルの設置構造に関する。
【背景技術】
【０００２】
近年、住宅等の建物の構築についてはその工業化が進み、例えば壁や床、屋根といった構成要素を予め工場にてパネル化しておき、施工現場でこれらのパネルを組み立てることにより住宅を構築するパネル工法が一部に採用されている（例えば、特許文献１参照）。
この特許文献１で用いられる壁パネルは、縦芯材と横芯材とが矩形枠状に組み立てられるとともに、この矩形枠の内部に補強芯材が縦横に組まれて枠体とされ、さらに、この枠体内にグラスウール等の断熱材が充填された状態で枠体の表裏両面に合板等の面材が貼着されたものである。
また、近年、例えば工場にて、このような壁パネルを複数接合して大型壁パネルを製造し、この大型壁パネルを建築現場に運搬して、その建築現場にて大型壁パネル同士を連結しながら立て込むことにより、現場施工をより簡略化した施工方法も採用されるようになってきた。
【特許文献１】特開平１１−２６９９８２号公報
【発明の開示】
【発明が解決しようとする課題】
【０００３】
ところで、複数の壁パネルを互いに接合させて建物を構築していく際に、各壁パネルの寸法公差等によって、例えば壁パネルが設置される基礎の長さよりも、接合された複数の壁パネルの長さの方が長くなってしまったり等、これら複数の壁パネルの取付位置に誤差が生じる場合がある。そして、誤差を修正するための作業を行う際には、例えば所定の位置に設置された壁パネルを一旦取り外したり、作業終了後に設置しなおしたりする場合があった。
特に、複数の壁パネルを接合してなる大型壁パネルの場合は、この大型壁パネル一つでも相当の重量があるため、壁パネルの場合と同じように一旦取り外したり、作業終了後に設置しなおしたり等の作業を行うことは困難であった。
【０００４】
さらに、従来、上記特許文献１のような壁パネルを隣接させて連結する際は、壁パネルの側端面同士を互いに突き合わせつつ、これら側端面同士を接着剤によって接着する方法などが採用されている。
しかしながら、従来の壁パネルの側端面は平らに形成されているため、側端面同士を付き合わせると、互いに面方向にずれてしまう場合がある。特に、大型壁パネルは、上述のように重量物であり、連結しなおす作業は困難であるため、大型壁パネル同士を容易かつ精度良く隣接させて連結したいという要望があった。
【０００５】
本発明の課題は、大型壁パネルを所定の位置に容易かつ確実に設置することが可能となり、さらに、大型壁パネル同士を容易かつ精度良く連結することができる大型壁パネルの設置構造を提供することを目的とする。
【課題を解決するための手段】
【０００６】
請求項１に記載の発明は、例えば図１〜図４に示すように、四角形状に形成された板材３と、この板材３の表裏両面の少なくとも周縁部に取り付けられ、縦横の框材４ａ，４ｂ，４ｃ，４ｄ、５ａ，５ｂ，５ｃ，５ｄを四角枠状に組み立てた枠体４，５と、この枠体４，５の内部に配置される縦棧材９，１０とを有する壁パネル２，２ａが複数接合されてなる大型壁パネル１を、幅方向に隣接させて設置してなる大型壁パネル１の設置構造において、
前記大型壁パネル１の一端側に位置する壁パネル２の板材３の表面側に取り付けられた枠体４の一方の縦框材４ａは、前記板材３の裏面側に取り付けられた枠体５の一方の縦框材５ａよりも幅広に形成されるとともに前記板材３の周縁部よりも横方向外側に突出しており、
前記大型壁パネル１の他端側に位置する壁パネル２ａの板材３の表面側に取り付けられた枠体４の他方の縦框材４ｂは、前記板材３の周縁部よりも横方向内側に引っ込んでおり、
前記大型壁パネル１の一端側に位置する壁パネル２および他端側に位置する壁パネル２ａのうち、いずれか一方の壁パネル２ａ（２）は幅狭に形成されるとともに、前記大型壁パネル１の両側端部のうち、少なくとも一方の側端部に、隣接する大型壁パネル１同士を互いに離間させるようにして、これら大型壁パネル１同士の間隔を調整する間隔調整手段８が設けられており、
前記複数の壁パネル２，２ａの各板材３の表面側の枠体４表面には、前記一方の縦框材４ａおよび縦棧材９間、前記他方の縦框材４ｂおよび縦棧材９間に架設可能な幅寸法を有する外装材６が予め取り付けられており、
これら外装材６のうち、前記大型壁パネル１の一端側に位置する外装材６は、前記幅広の縦框材４ａの横方向外側に突出する部分以外に取り付けられ、さらに、該外装材６の幅方向一端は、下サネ６ａが設けられずに、隣接する大型壁パネル１との目地に面して平らに形成されており、
前記隣接する一方の大型壁パネル１の他端側に位置する壁パネル２ａの板材３の裏面側に取り付けられた枠体５の他方の縦框材５ｂから、他方の大型壁パネル１の一端側に位置する壁パネル２の板材３の表面側に取り付けられた枠体４の前記幅広の縦框材４ａの横方向外側に突出する部分に向かって、止着材２１がねじ込まれることによって、前記隣接する大型壁パネル１同士が互いに引き寄せられるようにして連結されていることを特徴とする。
【０００７】
請求項１に記載の発明によれば、前記大型壁パネル１の一端側に位置する壁パネル２および他端側に位置する壁パネル２ａのうち、いずれか一方の壁パネル２ａ（２）は幅狭に形成されているので、複数の大型壁パネル１を幅方向に隣接させて設置した際に、これら大型壁パネルは、いずれか一方の壁パネル２ａ（２）が幅狭な分だけ詰めて並設されることとなる。そして、前記大型壁パネル１の両側端部のうち、少なくとも一方の側端部に、隣接する大型壁パネル１同士を互いに離間させるようにして、これら大型壁パネル１同士の間隔を調整する間隔調整手段８が設けられているので、この間隔調整手段８によって、前記大型壁パネル１同士を互いに離間させるようにして間隔調整することで、幅狭な分だけ詰めて並設された大型壁パネル１同士を位置調整することができる。これによって、大型壁パネル１同士を幅方向に隣接させて設置する際に、これら大型壁パネル１を所定の位置に容易かつ確実に設置することが可能となる。
しかも、前記大型壁パネル１の一端側に位置する壁パネル２の板材３の表面側に取り付けられた枠体４の一方の縦框材４ａは、前記板材３の周縁部よりも横方向外側に突出し、大型壁パネル１の他端側に位置する壁パネル２ａの板材３の表面側に取り付けられた枠体４の他方の縦框材４ｂは、前記板材３の周縁部よりも横方向内側に引っ込んでいるので、前記一方の縦框材４ａと他方の縦框材４ｂとは、凹凸の関係性を有していることとなる。したがって、大型壁パネル１同士を連結する際は、突出している一方の壁パネル２の一方の縦框材４ａと、引込んでいる他方の壁パネル２ａの他方の縦框材４ｂとの位置を合わせるようにしながら、隣接する壁パネル２，２ａの側端面同士を密接させるだけで、これら大型壁パネル１同士を容易かつ精度良く連結することができる。
また、前記隣接する一方の大型壁パネル１の他方の縦框材５ｂから、他方の大型壁パネル１の前記幅広の縦框材４ａの横方向外側に突出する部分に向かって、止着材２１がねじ込まれることによって、前記隣接する大型壁パネル１同士が互いに引き寄せられるようにして連結されているので、前記外装材６が取り付けられる側から止着材２１をねじ込んで、大型壁パネル１同士を連結する必要がない。これによって、前記外装材６を、前記大型壁パネル１の表面全面に予め取り付けておくことができるので、施工現場で前記複数の壁パネル２，２ａの各板材３の表面側の枠体４表面に外装材６を取り付ける手間を省略することができ、施工性に優れる。
【０００８】
さらに、前記大型壁パネル１を構成する壁パネル２，２ａが、四角形状に形成された板材３と、この板材３の両面の少なくとも周縁部に取り付けられ、縦横の框材４ａ，４ｂ，４ｃ，４ｄ、５ａ，５ｂ，５ｃ，５ｄを四角枠状に組み立てた枠体４，５とを有しているので、前記枠体４，５によって板材３を両面側から挟み込むことができ、地震等による板材３の変形を抑制することができる。すなわち、前記板材３に対して、剪断方向や捻れ方向などに大きな変形力が加わった場合、この板材３は様々な方向に向かって変形しようとする。例えば板材３が、側面視くの字に変形しようとすれば、板材３両面の前記一方の縦框材４ａ，５ａおよび他方の縦框材４ｂ，５ｂによって変形を抑制し、板材３が、平面視くの字に変形しようとすれば、板材３両面の前記一方の横框材４ｃ，５ｃおよび他方の横框材４ｄ，５ｄとによって変形を抑制することができる。また、例えば板材３が、捻れるように変形しようとすれば、板材３両面の前記枠体４，５全体で変形を抑制することができる。したがって、前記板材３が、いずれの方向に変形しても前記枠体４，５によって変形を抑制することができるので、前記板材３や、この板材３と両枠体４，５との取付部分に影響が出にくく、壁パネル２，２ａ自体の強度を向上させることが可能となる。
また、前記板材３の両面に枠体４，５が取り付けられてなるので、従来に比して、使用する板材３の量を２枚から１枚に減らすことができ、コストを削減することができる。
【０００９】
請求項２に記載の発明は、例えば図１〜図３に示すように、請求項１に記載の大型壁パネル１の設置構造において、
前記隣接する大型壁パネル１同士の対向する側端部に位置する縦框材５ａ，５ｂ同士の表面に、これら縦框材５ａ，５ｂ同士を接続する接続プレート２０が架設固定されていることを特徴とする。
【００１０】
請求項２に記載の発明によれば、前記隣接する大型壁パネル１同士の対向する側端部に位置する縦框材５ａ，５ｂ同士の表面に、これら縦框材５ａ，５ｂ同士を接続する接続プレート２０が架設固定されていることから、この接続プレート２０によって、前記縦框材５ａ，５ｂ同士を強固に接続することができるので、前記隣接する大型壁パネル１同士を強固に連結することができる。
【００１３】
請求項３に記載の発明は、例えば図１〜図３に示すように、請求項１または２に記載の大型壁パネル１の設置構造において、
前記複数の壁パネル２，２ａの各板材３の裏面側の枠体５表面に、隣接する大型壁パネル１同士の対向する側端部に位置する縦框材５ａ，５ｂの周囲を露出させた状態で石膏ボード７が予め取り付けられており、
前記露出する縦框材５ａ，５ｂ同士の周囲には、この露出する縦框材５ａ，５ｂ同士の周囲を覆うための補助石膏ボード７ａが取り付けられていることを特徴とする。
【００１４】
請求項３に記載の発明によれば、前記複数の壁パネル２，２ａの各板材３の裏面側の枠体５表面に、隣接する大型壁パネル１同士の対向する側端部に位置する縦框材５ａ，５ｂの周囲を露出させた状態で石膏ボード７が予め取り付けられており、前記露出する縦框材５ａ，５ｂ同士の周囲には、この露出する縦框材５ａ，５ｂ同士の周囲を覆うための補助石膏ボード７ａが取り付けられているので、前記間隔調整手段８によって前記隣接する大型壁パネル１同士の間隔を調整した後に、この対向する側端部に位置する縦框材５ａ，５ｂの周囲を前記補助石膏ボード７ａによって覆うことができる。したがって、施工現場で石膏ボード７を取り付ける手間を省略することができるので、より施工性に優れる。
【００１５】
請求項４に記載の発明は、例えば図１および図３に示すように、請求項３に記載の大型壁パネル１の設置構造において、
前記補助石膏ボード７ａは、隣接する大型壁パネル１間に架設されていることを特徴とする。
【００１６】
請求項４に記載の発明によれば、前記補助石膏ボード７ａは、隣接する大型壁パネル１間に架設されていることから、この補助石膏ボード７ａによって前記露出する縦框材５ａ，５ｂ同士の周囲を一遍に覆うことができるので、さらに施工性に優れる。
【発明の効果】
【００１７】
本発明によれば、大型壁パネルの一端側および他端側に位置する壁パネルのうち、いずれか一方は幅狭に形成されているので、複数の大型壁パネルを幅方向に隣接させて設置した際に、これら大型壁パネルは、いずれか一方の壁パネルが幅狭な分だけ詰めて並設されることとなる。そして、大型壁パネルの両側端部のうち、少なくとも一方の側端部に、隣接する大型壁パネル同士を互いに離間させるようにして、これら大型壁パネル同士の間隔を調整する間隔調整手段が設けられているので、この間隔調整手段によって、幅狭な分だけ詰めて並設された大型壁パネル同士を位置調整することができる。これによって、大型壁パネル同士を幅方向に隣接させて設置する際に、これら大型壁パネルを所定の位置に容易かつ確実に設置することが可能となる。
しかも、大型壁パネルの一端側に位置する壁パネルの板材の表面側に取り付けられた枠体の一方の縦框材と、大型壁パネルの他端側に位置する壁パネルの板材の表面側に取り付けられた枠体の他方の縦框材とは、凹凸の関係性を有していることとなる。したがって、突出している一方の縦框材と、引込んでいる他方の縦框材との位置を合わせるようにしながら、隣接する壁パネルの側端面同士を密接させるだけで、大型壁パネル同士を容易かつ精度良く連結することができる。
さらに、大型壁パネルを構成する各壁パネルの板材の両面の周縁部に取り付けられた枠体によって板材を両面側から挟み込むことができ、板材が、いずれの方向に変形しても枠体によって変形を抑制することができるので、板材や、この板材と両枠体との取付部分に影響が出にくく、壁パネル自体の強度を向上させることが可能となる。
また、板材の両面に枠体が取り付けられてなるので、従来に比して、使用する板材の量を２枚から１枚に減らすことができ、コストを削減することができる。
【発明を実施するための最良の形態】
【００１８】
以下、図面を参照して本発明の実施の形態について説明する。
【００１９】
本実施の形態の大型壁パネルの設置構造は、図１に示すように、四角形状に形成された板材３と、この板材３の両面の少なくとも周縁部に取り付けられ、縦横の框材４ａ，４ｂ，４ｃ，４ｄ、５ａ，５ｂ，５ｃ，５ｄを四角枠状に組み立てた枠体４，５とを有する壁パネル２，２ａが複数接合されてなる大型壁パネル１を、幅方向に隣接させて設置してなるものであり、前記大型壁パネル１の一端側に位置する壁パネル２の板材３の表面側に取り付けられた枠体４の一方の縦框材４ａは、前記板材３の周縁部よりも横方向外側に突出し、大型壁パネル１の他端側に位置する壁パネル２ａの板材３の表面側に取り付けられた枠体４の他方の縦框材４ｂは、前記板材３の周縁部よりも横方向内側に引っ込んでおり、前記大型壁パネル１の一端側に位置する壁パネル２および他端側に位置する壁パネル２ａのうち、いずれか一方の壁パネル２ａ（２）は幅狭に形成されるとともに、前記大型壁パネル１の両側端部のうち、少なくとも一方の側端部に、隣接する大型壁パネル１同士を互いに離間させるようにして、これら大型壁パネル１同士の間隔を調整する間隔調整手段８が設けられている。
【００２０】
なお、前記壁パネル２ａは、この壁パネル２ａを構成する板材３や縦横の框材４ａ，４ｂ，４ｃ，４ｄ、５ａ，５ｂ，５ｃ，５ｄのサイズを調整することによって、上述のように幅狭に形成されている。
【００２１】
ここで、前記大型壁パネル１を構成する各壁パネル２，２ａの板材３として、材料に合板が用いられているが、これに限るものではない。すなわち、例えば樹種を変更したり、木片等を合成樹脂で固めたパーティクルボードを使用してもよく、地震等に対する強度を向上させることが可能であれば、本発明の趣旨を逸脱しない範囲で適宜変更可能である。
【００２２】
前記枠体４，５は、図４に示すように、離間して対向配置された縦框材４ａ，４ｂ、５ａ，５ｂの上下端部間に、それぞれ横框材４ｃ，４ｄ、５ｃ，５ｄが架設されることで、四角枠状に形成されている。
【００２３】
そして、前記一方の縦框材４ａの突出寸法は、前記他方の縦框材４ｂの引込み寸法と略等しい寸法となっており、図１に示すように、隣接する大型壁パネル１の対向する壁パネル２，２ａ同士を隣接させて接合する際に、突出している一方の縦框材４ａと、引込んでいる他方の縦框材４ｂとの位置を正確に合わせることができるようになっている。
つまり、前記一方の縦框材４ａが突出する分だけ、他方の縦框材４ｂが引込んだ形態となっている。
【００２４】
一方、前記板材３の裏面側に取り付けられた枠体５は、図４に示すように、前記板材３の周縁部に沿って正確に取り付けられており、前記板材３の表面側に取り付けられた枠体４よりも、奥行き寸法が長く形成されている。
【００２５】
そして、図１〜図４に示すように、前記複数の壁パネル２，２ａの各板材３の両面側に取り付けられた枠体４，５の内部には、一方および他方の縦框材４ａ，４ｂ、５ａ，５ｂと平行する縦棧材９，１０が、対向する横框材４ｃ，４ｄ、５ｃ，５ｄ間に配置されている。さらに、前記横框材４ｃ，４ｄ、５ｃ，５ｄと平行する横棧材９ａ，１０ａが、前記縦棧材９，１０と直交するようにして、対向する縦框材４ａ，４ｂ、５ａ，５ｂ間に配置されている。
これによって、これら縦棧材９，１０および横棧材９ａ，１０ａによって前記枠体４，５の補強を行うことができ、壁パネル２，２ａ自体の強度をより向上させることが可能となる。
【００２６】
一方、本実施の形態の間隔調整手段８は、図１〜図３に示すように、前記大型壁パネル１の一端側に設けられており、この一端側に位置する壁パネル２の一方の縦框材５ａに形成された孔部８ａと、この孔部８ａに螺合する間隔調整ボルト８ｂとを備えている。
なお、本実施の形態の間隔調整手段８は、前記大型壁パネル１の一端側に設けられているものとしたが、前記大型壁パネル１の他端側に設けるようにしてもよい。
【００２７】
前記孔部８ａは、図１に示すように、隣接する大型壁パネル１同士の並設方向に沿って、前記一方の縦框材５ａの上端部近傍および下端部近傍を貫通するようにして形成されている。そして、このような孔部８ａに前記間隔調整ボルト８ｂが螺合しており、この間隔調整ボルト８ｂをねじ込むことによって、この間隔調整ボルト８ｂの先端部で、対向する他方の縦框材５ｂを突き放す方向に、隣接する一方の大型壁パネル１に対して、隣接する他方の大型壁パネル１を押すことができるようになっている。
このようにして、隣接する大型壁パネル１同士を互いに離間させるようにして、これら大型壁パネル１同士の間隔を調整することができる。
【００２８】
なお、図示はしないが、前記孔部８ａは、前記隣接する一方の大型壁パネル１の一端側に位置する縦框材５ａに形成され、この孔部８ａに前記間隔調整ボルト８が螺合しているとしているが、これに限られるものではない。すなわち、孔部を、前記隣接する大型壁パネル１同士の対向する側端部に位置する縦框材５ａ，５ｂの双方に貫通するように形成するとともに、これら対向する縦框材５ａ，５ｂの双方に貫通する孔部に、前記対向する縦框材５ａ，５ｂ間の距離よりも長い寸法を有する間隔調整ボルトを螺合しても良い。これにより、この間隔調整ボルトをねじ込むことによって、前記大型壁パネル１同士の間隔を互いに離間させることができるとともに、間隔調整ボルトのねじ回す方向を逆にすることで、前記大型壁パネル１同士の間隔を互いに接近させることができるので、好ましい。
【００２９】
また、前記隣接する大型壁パネル１同士の対向する側端部に位置する縦框材５ａ，５ｂ同士の表面に、これら縦框材５ａ，５ｂ同士を接続する接続プレート２０が架設固定されている。すなわち、この接続プレート２０によって、前記縦框材５ａ，５ｂ同士を強固に接続することができるので、前記隣接する大型壁パネル１同士を強固に連結することができるようになっている。
【００３０】
しかも、前記接続プレート２０は、図５に示すように、前記縦框材５ａ，５ｂの表面を凹状に切り欠くことによって形成された凹状部２０ａに嵌め合わせるようにして取り付けられている。この凹状部２０ａは、前記縦框材５ａ，５ｂの上部、中央部、下部にそれぞれ形成されている。
【００３１】
なお、この接続プレート２０を前記凹状部２０ａに取り付ける際は、接着剤によって強固に取り付けられるようになっているが、止着材等によって取り付けても良く、適宜変更可能である。また、図５に示すように、この接続プレート２０は、建物全体の上下方向に沿って複数取り付けられている。
【００３２】
さらに、このように前記隣接する大型壁パネル１同士を強固に連結できるので、壁紙クロス等の内装を施した後に、例えば地震等で隣接する大型壁パネル１間に隙間が生じ、これに応じて壁紙クロスに亀裂が入ってしまうような事態を確実に防ぐことができる。
なお、本実施の形態の接続プレート２０は木製の板材であるが、これに限られるものではなく、例えば金属製のものであってもよく、適宜変更可能である。
【００３３】
また、前記各板材３の表面側に取り付けられた枠体４および縦棧材９の表面に、これら枠体４および縦棧材９間に架け渡されるようにして前記外装材６が取り付けられるとともに、前記各板材３の裏面側に取り付けられた枠体５および縦棧材１０の表面に、これら枠体５および縦棧材１０間に架け渡されるようにして前記石膏ボード７が取り付けられている。
【００３４】
本実施の形態の外装材６は、図１および図３に示すように、複数用いられており、幅方向一端に下サネ６ａを他端に上サネ６ｂを備えることによって、これら上サネ６ｂおよび下サネ６ａが互いに重なり合うようにして隣接配置されている。なお、これら複数の外装材６のうち、前記大型壁パネル１の一端側に位置する外装材６の幅方向一端には、下サネ６ａが設けられておらず、この外装材６の幅方向一端は、隣接する大型壁パネル１との目地に面して平らに形成されている。
また、目地には、この目地に充填される目地材１７が設けられており、上述のように前記大型壁パネル１の一端側に位置する外装材６の幅方向一端が平らに形成されていることで、前記目地材１７を充填しやすくなっている。
また、各外装材６は、前記各壁パネル２，２ａの板材３の表面側の枠体４において、一方の縦框材４ａおよび縦棧材９間、前記他方の縦框材４ｂおよび縦棧材９間に架設可能な幅寸法を有するとともに、前記大型壁パネル１と略同様の高さ寸法となるように形成されている。
【００３５】
なお、前記隣接する一方の大型壁パネル１の他端側に位置する壁パネル２ａの板材３の裏面側に取り付けられた枠体５の他方の縦框材５ｂから、他方の大型壁パネル１の一端側に位置する壁パネル２の板材３の表面側に取り付けられた枠体４の一方の縦框材４ａの前記板材３の周縁部よりも横方向外側に突出する部分に向かって、止着材２１がねじ込まれることによって、前記隣接する大型壁パネル１同士が互いに引き寄せられるようにして連結されている。
したがって、前記外装材６が取り付けられる側から止着材２１をねじ込んで、大型壁パネル１同士を連結する必要がない。これによって、前記外装材６を、前記大型壁パネル１の表面全面に予め取り付けておくことができるので、施工現場で前記複数の壁パネル２，２ａの各板材３の表面側の枠体４表面に外装材６を取り付ける手間を省略することができ、施工性に優れる。
【００３６】
また、本実施の形態の止着材２１は、図２に示すように、前記接続プレート２０の上方または下方に、表面に露出するようにして、ねじ込まれており、後述する補助石膏ボード７ａによって遮蔽されることとなる。
【００３７】
なお、本実施の形態の外装材６は、図１および図３に示すように、横胴縁１１を介して前記板材３の表面側に取り付けられた枠体４および縦棧材９の表面に、これら枠体４および縦棧材９間に架け渡されるようにして取り付けられている。
また、前記横胴縁１１の裏面には、図３に示すように、透湿防水シート１４が貼り付けられている。そして、前記隣接する一方の大型壁パネル１からはみ出すように延出する透湿防水シート１４と、他方の大型壁パネル１からはみ出すように延出する透湿防水シート１４とが、隣接する大型壁パネル１間の目地において一緒に丸め込まれ、その上から前記目地材１７が充填されるようになっている。
【００３８】
また、本実施の形態の石膏ボード７は、図１〜図３に示すように、複数の石膏ボード７からなり、これら複数の石膏ボード７は、前記壁パネル２，２ａの板材３の裏面側の枠体５において、これら枠体５の内部に配置された縦棧材１０間に、前記一方および他方の縦框材５ａ，５ｂを跨ぐようにして架設可能な幅寸法を有するとともに、前記大型壁パネル１と略同様の高さ寸法となるように形成されている。
【００３９】
また、本実施の形態の石膏ボード７は、上述したように隣接する大型壁パネル１の対向する側端部に位置する縦框材５ａ，５ｂの周囲を露出させた状態で取り付けられている。すなわち、図２に示すように、大型壁パネル１の両側端部に位置する双方の縦框材５ａ，５ｂと、これら双方の縦框材５ａ，５ｂに隣り合う縦棧材１０間に、石膏ボード７が取り付けられていない状態となっている。
そして、前記隣接する大型壁パネル１の対向する側端部に位置する縦框材５ａ，５ｂのうち、少なくとも一方の側端部に、前記間隔調整手段が設けられている。
【００４０】
そして、以上のように前記各板材３の表面側に取り付けられた枠体４および縦棧材９の表面に、これら枠体４および縦棧材９間に架け渡されるようにして前記外装材６が取り付けられているので、この外装材６を前記枠体４および縦棧材９に対して確実に取付固定できる。その上、前記各板材３の表面と外装材６との間に形成される隙間に、例えば断熱材を設けたりすることができるので、利便性が高い。
また、前記各板材３の裏面側に取り付けられた枠体５および縦棧材１０の表面に、これら枠体５および縦棧材１０間に架け渡されるようにして前記石膏ボード７が取り付けられているので、この石膏ボード７を前記枠体５および縦棧材１０に対して確実に取付固定できる。その上、前記各板材３の表面と石膏ボード７との間に形成される隙間に、例えば断熱材を設けたりすることができるので、利便性が高い。
【００４１】
そして、本実施の形態においては、図１および図３に示すように、前記各板材３の表面と外装材６との間に形成される隙間と、前記各板材３の表面と石膏ボード７との間に形成される隙間、すなわち、前記各板材３の両面側に取り付けられた枠体４，５の内部には、断熱材１２，１３が設けられている。
このように前記各板材３の両面側に取り付けられた枠体４，５の内部の双方に断熱材１２，１３を設置することによって、例えば断熱材を柱や枠材の内部に埋設する充填断熱方法や、柱や枠材の外部に断熱材を貼り付ける外張り断熱方法に比して、同性能の断熱材を用いた場合は、その断熱性を格段に向上させることができる。
【００４２】
なお、前記各板材３の両面側に取り付けられた枠体４，５の内部に、前記断熱材１２，１３を設けるだけでなく、図示はしないが、パイプスペースとして使用したり、また、棚を複数取り付けて収納スペースとすることも可能となっている。
【００４３】
一方、前記補助石膏ボード７ａは、上述したように、前記露出する縦框材５ａ，５ｂ同士の周囲に取り付けられるものであり、隣接する大型壁パネル１間に架設されている。
すなわち、上述したように隣接する大型壁パネル１の対向する側端部に位置する縦框材５ａ，５ｂの周囲が露出した状態となっているので、図１に示すように、この露出した部分に嵌め込まれるようにして取り付けられている。
そして、このように補助石膏ボード７ａは、隣接する大型壁パネル１間に架設されていることから、この補助石膏ボード７ａによって前記露出する縦框材５ａ，５ｂ同士の周囲を一遍に覆うことができるので、隣接する大型壁パネル１同士を連結する際の作業性を向上させることができる。
【００４４】
なお、本実施の形態の石膏ボード７および補助石膏ボード７ａは、図３に示すように、防湿シート１５を介して取り付けられている。
【００４５】
また、前記各壁パネル２，２ａの板材３の表面側に取り付けられた枠体４の内部は、図３に示すように、通気層１６として使用することができ、この通気層１６は、前記外装材６の裏面と断熱材１２の表面との間において、前記板材３の上下方向に沿って延在している。つまり、図５に示すように、建物全体の上下方向に沿って、通気層１６を形成できるようになっている。
なお、上述したように前記板材３の表面側の枠体４の内部には、前記横棧材９が配置されている。ここで、図示はしないが、通気層１６の良好な通気状態を維持するために、この横棧材９を、前記板材３の表面側の枠体４よりも薄厚に形成したり、この横棧材９に、上下に連通する通気孔を設けるようにしてもよい。
【００４６】
このように通気層１６を形成することによって、この通気層１６内を常に空気が通過することになるので、例えば隣接する外装材６の側端部間から雨水が浸入したとしても、通気層１６内を通過する空気によって雨水に濡れた部分を確実に乾燥させることができる。
【００４７】
また、本実施の形態の大型壁パネル１は、図示しない基礎から突出するアンカーボルトを挿通させるための孔を有するアンカーボルト挿通部１８を複数備えている。
【００４８】
なお、本実施の形態においては、大型壁パネル１を幅方向に隣接させて設置するとしているが、例えば構築される建物において必要な壁一面の幅寸法が、複数の大型壁パネル１を隣接させる必要のない長さ寸法であった場合は、大型壁パネル１および壁パネル２同士や、壁パネル２および壁パネル２ａ同士を幅方向に隣接させて設置するようにしてもよいものとする。
【００４９】
次に、本実施の形態の大型壁パネル１を、幅方向に隣接させて設置する方法について説明する。
すなわち、まず、幅狭に形成された壁パネル２ａが、前記大型壁パネル１の一端側および他端側のいずれか一方に位置するようにして複数の壁パネル２，２ａを接合して、大型壁パネル１を形成する。なお、本実施の形態において、壁パネル２ａは、大型壁パネル１の他端側に位置しているものとする。
【００５０】
なお、この作業と前後して、前記各壁パネル２，２ａの板材３の表面側に外装材６を取り付ける作業を行うものとする。また、外装材６を取り付ける前段階で、図３に示すように、各枠体４の内部に、通気層１６を形成しながら断熱材１２を設置するとともに、外装材６の裏面側に前記横胴縁１１および透湿防水シート１４を設けておく。
さらに、複数の壁パネル２，２ａの各板材３の表面側の枠体４の表面に外装材６が取り付けられた状態の大型壁パネル１に対して、図２に示すように、前記各壁パネル２，２ａの各板材３の裏面側の枠体５の表面に石膏ボード７を取り付ける。
この時、隣接する大型壁パネル１の対向する側端部に位置する縦框材５ａ，５ｂの周囲を露出させた状態にしておく。また、石膏ボード７を取り付ける前段階で、各枠体５の内部に断熱材１３を設置するとともに、前記防湿シート１５を貼り付けておく。
【００５１】
続いて、このように形成された大型壁パネル１を、図１〜図３に示すように、幅方向に複数隣接させる。この時、前記大型壁パネル１において突出している一方の壁パネル２の一方の縦框材４ａと、引込んでいる他方の壁パネル２ａの他方の縦框材４ｂとの位置を合わせるようにしながら、隣接する壁パネル２，２ａの側端面同士を密接させる。
【００５２】
また、複数の大型壁パネル１を幅方向に隣接させることによって、これら大型壁パネルは前記壁パネル２ａが幅狭な分だけ詰めて並設することができる。ここで、前記間隔調整ボルト８ｂをねじ込んで、隣接する大型壁パネル１同士を互いに離間させて、これら大型壁パネル１同士の間隔を調整し、これら大型壁パネル１を所定の位置に設置する。
【００５３】
続いて、図１および図３に示すように、前記隣接する一方の大型壁パネル１の他端側に位置する壁パネル２ａの板材３の裏面側に取り付けられた枠体５の他方の縦框材５ｂから、他方の大型壁パネル１の一端側に位置する壁パネル２の板材３の表面側に取り付けられた枠体４の一方の縦框材４ａの前記板材３の周縁部よりも横方向外側に突出する部分に向かって、止着材２１をねじ込んで、前記隣接する大型壁パネル１同士を互いに引き寄せるようにして連結する。
【００５４】
そして、図１〜図３に示すように、前記隣接する大型壁パネル１同士の対向する側端部に位置する縦框材５ａ，５ｂ同士の表面に、前記凹状部２０ａに嵌め合わせるようにして、前記接続プレート２０を架設固定して前記縦框材５ａ，５ｂ同士を接続する。
【００５５】
その後、図１に示すように、前記露出する縦框材５ａ，５ｂ同士の周囲に、この露出する縦框材５ａ，５ｂ同士の周囲を覆うための補助石膏ボード７ａを取り付けて、隣接する大型壁パネル１の対向する側端部に位置する縦框材５ａ，５ｂの周囲を前記補助石膏ボード７ａによって覆うようにする。以上のようにして、大型壁パネル１を、幅方向に隣接させて設置できるようになっている。
【００５６】
次に、本実施の形態における大型壁パネル１を構成する壁パネル２，２ａによる地震等の変形力に対する作用について詳細に説明する。本実施の形態においては、前記大型壁パネル１の一端側に位置する壁パネル２を図示して説明する。
【００５７】
ここで、本実施の形態の壁パネル２（２ａ）は、図４に示すように、四角形状に形成された板材３両面の少なくとも周縁部に、縦横の框材４ａ，４ｂ，４ｃ，４ｄ、５ａ，５ｂ，５ｃ，５ｄを四角枠状に組み立てた枠体４，５が取り付けられるとともに、これら枠体４，５の内部に、一方および他方の縦框材４ａ，４ｂ、５ａ，５ｂと平行する縦棧材９，１０が、対向する横框材４ｃ，４ｄ、５ｃ，５ｄ間に配置されて構成されている。これに加えて、前記横框材４ｃ，４ｄ、５ｃ，５ｄと平行する横棧材９ａ，１０ａが、前記縦棧材９，１０と直交するようにして、対向する縦框材４ａ，４ｂ、５ａ，５ｂ間に配置されている。
【００５８】
そして、前記板材３に対して、剪断方向や捻れ方向などに大きな変形力が加わった場合、この板材３は様々な方向に向かって変形しようとする。
【００５９】
例えば板材３が、側面視くの字に変形しようとすれば、板材３の両面の前記一方の縦框材４ａ，５ａおよび他方の縦框材４ｂ，５ｂによって変形を抑制する。
すなわち、例えば前記板材３の表面側が外側に向くように位置し、裏面側が内側に向くように位置するようにして、前記板材３が側面視くの字に変形する場合、前記板材３の表面側に取り付けられた一方の縦框材４ａおよび他方の縦框材４ｂも、前記板材３の表面側と同様の方向に変形しようとし、前記板材３の裏面側に取り付けられた一方の縦框材５ａおよび他方の縦框材５ｂも、前記板材３の裏面側と同様の方向に変形しようとする力が働く。
【００６０】
これに対して、前記板材３の表面側に取り付けられた一方の縦框材４ａおよび他方の縦框材４ｂには、変形に対する復帰力が生じて元の状態に戻ろうとし、前記板材３の裏面側に取り付けられた一方の縦框材５ａおよび他方の縦框材５ｂにも、変形に対する復帰力が生じて元の状態に戻ろうとする。
【００６１】
このため、前記板材３は、この板材３両面に取り付けられた一方の縦框材４ａ，５ａおよび他方の縦框材４ｂ，５ｂの、変形しようとする力と、変形に対する復帰力とによって挟み込まれることとなる。
【００６２】
つまり、前記板材３が、側面視くの字に変形しようとしても、前記板材３の両面に取り付けられた一方の縦框材４ａ，５ａおよび他方の縦框材４ｂ，５ｂによって変形を抑制され、また前記板材３が、側面視逆くの字に変形しようとしても、前記板材３の両面に取り付けられた一方の縦框材４ａ，５ａおよび他方の縦框材４ｂ，５ｂによって変形を抑制されることとなる。
【００６３】
一方、例えば、前記板材３が、平面視くの字に変形しようとしても、上述のごとく、前記板材３両面の前記一方の横框材４ｃ，５ｃおよび他方の横框材４ｄ，５ｄとによって、その変形が抑制されることとなる。
【００６４】
また、例えば板材３が、捻れるように変形しようとしても、前記板材３両面の縦横の框材４ａ，４ｂ，４ｃ，４ｄ、５ａ，５ｂ，５ｃ，５ｄからなる枠体４，５全体で変形を抑制することができるようになっている。
【００６５】
しかも、前記板材３の両面側の枠体４，５の内部には、前記縦横の棧材９，９ａ、１０，１０ａが設けられているので、これら縦横の棧材９，９ａ、１０，１０ａによって前記枠体４，５の補強を行うことができ、この補強された枠体４，５によって板材３の変形を抑制する力が強化されることとなる。
【００６６】
したがって、前記板材３が、いずれの方向に変形しても前記枠体４，５および縦横の棧材９，９ａ、１０，１０ａによって変形を抑制することができるので、前記板材３や、この板材３と両枠体４，５との取付部分に影響が出にくく、地震等に対する強度を向上させることが可能となる。
【００６７】
本実施の形態によれば、前記大型壁パネル１の一端側および他端側に位置する壁パネル２，２ａのうち、いずれか一方は幅狭に形成されているので、複数の大型壁パネル１を幅方向に隣接させて設置した際に、これら大型壁パネル１は、いずれか一方の壁パネル２ａ（２）が幅狭な分だけ詰めて並設されることとなる。そして、大型壁パネル１の両側端部のうち、少なくとも一方の側端部に、隣接する大型壁パネル１同士を互いに離間させるようにして、これら大型壁パネル１同士の間隔を調整する間隔調整手段８が設けられているので、この間隔調整手段８によって、幅狭な分だけ詰めて並設された大型壁パネル１同士を位置調整することができる。これによって、大型壁パネル１同士を幅方向に隣接させて設置する際に、これら大型壁パネル１を所定の位置に容易かつ確実に設置することが可能となる。
しかも、大型壁パネル１の一端側に位置する壁パネル２の板材３の表面側に取り付けられた枠体４の一方の縦框材４ａと、大型壁パネル１の他端側に位置する壁パネル２ａの板材３の表面側に取り付けられた枠体４の他方の縦框材４ｂとは、凹凸の関係性を有していることとなる。したがって、突出している一方の縦框材４ａと、引込んでいる他方の縦框材４ｂとの位置を合わせるようにしながら、隣接する壁パネル２，２ａの側端面同士を密接させるだけで、大型壁パネル１同士を容易かつ精度良く連結することができる。
さらに、大型壁パネル１を構成する各壁パネル２，２ａの板材３の両面の周縁部に取り付けられた枠体４，５によって板材３を両面側から挟み込むことができ、板材３が、いずれの方向に変形しても枠体４，５によって変形を抑制することができるので、板材３や、この板材３と両枠体４，５との取付部分に影響が出にくく、壁パネル２，２ａ自体の強度を向上させることが可能となる。
また、板材３の両面に枠体４，５が取り付けられてなるので、従来に比して、使用する板材３の量を２枚から１枚に減らすことができ、コストを削減することができる。
【図面の簡単な説明】
【００６８】
【図１】本発明の実施の形態に係る大型壁パネルの設置構造を示す平断面図である。
【図２】図１の大型壁パネルの設置構造を示す背面図である。
【図３】図１の大型壁パネルの設置構造の一部を示す拡大平断面図である。
【図４】本発明の実施の形態における大型壁パネルを構成する壁パネルを示す正面図、側断面図および底断面図である。
【図５】壁パネルによって構成される建物における接続プレートの取付位置を示す側断面図である。
【符号の説明】
【００６９】
１  大型壁パネル
２  壁パネル
２ａ  壁パネル
３  板材
４  枠体
５  枠体
８  間隔調整手段
【図１】
0005199609.tif 000002
【図２】
0005199609.tif 000003
【図３】
0005199609.tif 000004
【図４】
0005199609.tif 000005
【図５】
0005199609.tif 000006